(57)【要約】【課題】エアコンによる冷房運転時に迅速に車室内温度を低下させることができる車両用温度制御装置を提供する。【解決手段】車室内温度を検出する室内温度センサと、車両のウィンドウを昇降駆動するウィンドウ駆動装置と、目的温度が設定可能なエアコンとを備えた車両用温度制御装置において、エアコンの冷房運転時に、室内温度センサによって検出された車室内温度ＴＲとエアコンの設定温度ＴＳＥＴとの温度差ΔＴ１（＝ＴＲ−ＴＳＥＴ）が、エアコンの設定温度ＴＳＥＴと車外温度ＴＡＭとの間の最大温度差となるように予め設定された基準温度差ΔＴＤ（１５℃）よりも大きいことに基づいて（Ｓ３２０）、ウィンドウ駆動装置を制御してウィンドウを開いて外気を導入する（Ｓ３５０）。このようにすれば、ウィンドウが自動的に開けられることにより、車室内の空気よりも低い温度の外気が導入されるので、車室内の温度を迅速に低下させることができる。【選択図】図３
2006298169.tif 000002
【特許請求の範囲】
【請求項１】
車室内温度を検出する室内温度センサと、
車両のウィンドウを昇降駆動するウィンドウ駆動装置と、
目的温度が設定可能な車室内空調装置と
を備えた車両用温度制御装置であって、
前記車室内空調装置の冷房運転時において、前記室内温度センサによって検出された車室内温度と前記車室内空調装置の設定温度との温度差が、その車室内空調装置の設定温度と外気温との間の最大温度差となるように設定された基準温度差よりも大きいことに基づいて、前記ウィンドウ駆動装置を制御して前記ウィンドウを開いて外気を導入する外気導入制御手段
を含むことを特徴とする車両用温度制御装置。
【請求項２】
車室内温度を検出する室内温度センサと、
車両のウィンドウを昇降駆動するウィンドウ駆動装置と、
車室内空調装置と
を備えた車両用温度制御装置であって、
前記車室内空調装置の冷房運転時において、前記室内温度センサによって検出された車室内温度が所定の外気導入基準温度よりも高いことに基づいて、前記ウィンドウ駆動装置を制御して前記ウィンドウを開いて外気を導入する外気導入制御手段
を含むことを特徴とする車両用温度制御装置。
【請求項３】
車室内温度を検出する室内温度センサと、
車両のウィンドウを昇降駆動するウィンドウ駆動装置と、
車室内空調装置と
を備えた車両用温度制御装置であって、
車外温度を検出する外気温センサと、
前記車室内空調装置よる冷房運転時に、前記室内温度センサによって検出された車室内温度が前記外気温センサによって検出された車外温度よりも高いことに基づいて、前記ウィンドウ駆動装置を制御して前記ウィンドウを開いて外気を導入する外気導入制御手段と
を含むことを特徴とする車両用温度制御装置。
【請求項４】
車室内温度を検出する室内温度センサと、
車両のウィンドウを昇降駆動するウィンドウ駆動装置と、
車外温度を検出する外気温センサと、
アクセサリスイッチがオフであって、前記室内温度センサによって検出された車室内温度または前記外気温センサによって検出された車外温度が、予め設定された冷房必要温度よりも高く、かつ、その検出された車室内温度が検出された車外温度よりも高いことに基づいて、前記ウィンドウ駆動装置を制御して前記ウィンドウを開いて外気を導入する外気導入制御手段と
を含むことを特徴とする車両用温度制御装置。
【請求項５】
車室内温度を検出する室内温度センサと、
車両のウィンドウを昇降駆動するウィンドウ駆動装置と、
アクセサリスイッチがオフであって、前記室内温度センサによって検出された車室内温度が上昇傾向であることに基づいて、前記ウィンドウ駆動装置を制御して前記ウィンドウを開いて外気を導入する外気導入制御手段と
を含むことを特徴とする車両用温度制御装置。
【請求項６】
車室内温度を検出する室内温度センサと、
車両のウィンドウを昇降駆動するウィンドウ駆動装置と、
目的温度が設定可能な車室内空調装置と、
アクセサリスイッチがオフであって、前記室内温度センサによって検出された車室内温度と前記車室内空調装置の設定温度との温度差が、その車室内空調装置の設定温度と外気温との間の最大温度差となるように予め設定された基準温度差よりも大きいことに基づいて、前記ウィンドウ駆動装置を制御して前記ウィンドウを開いて外気を導入する外気導入制御手段と
を含むことを特徴とする車両用温度制御装置。
【請求項７】
請求項１乃至６のいずれかに記載の車両用温度制御装置であって、
車両の現在位置において雨が降っていることを検出する降雨検出装置と、
その降雨検出装置によって雨が降っていると検出されたことに基づいて、前記外気導入制御手段による外気導入を禁止する外気導入禁止手段と
をさらに含むことを特徴とする車両用温度制御装置。
【請求項８】
前記降雨検出装置として、
天気情報を受信する無線受信装置を備えるとともに、その受信した天気情報と前記車両の現在位置とを比較することによって車両の現在位置において雨が降っていることを検出することができるナビゲーション装置を備えていることを特徴とする請求項７記載の車両用温度制御装置。
【請求項９】
請求項１乃至６のいずれかに記載の車両用温度制御装置であって、
外気中の所定の有害ガスのガス濃度を検出する外気センサと、
その外気センサによって検出されたガス濃度に基づいて空気の悪い場所であるか否かを判定し、空気の悪い場所であると判定した場合には、前記外気導入制御手段による外気導入を禁止する外気導入禁止手段と
をさらに含むことを特徴とする車両用温度制御装置。
【請求項１０】
請求項１乃至３のいずれかに記載の車両用温度検出装置であって、
車両に備えられた複数の座席ついて、搭乗者がいるか否かをそれぞれ検出する搭乗者センサをさらに備え、
前記外気導入制御手段が開くウィンドウは、前記搭乗者センサによって搭乗者がいることが検出された座席の近傍のウィンドウとされている
ことを特徴とする車両用温度制御装置。
【請求項１１】
請求項１乃至３のいずれかに記載の車両用温度制御装置であって、
前記外気導入制御手段は、前記室内温度センサによって検出された車室内温度と前記車室内空調装置の設定温度との温度差が、前記基準温度差よりも小さい値に設定された制御終了温度差以下となったことに基づいて、前記ウィンドウを閉じるようになっていることを特徴とする車両用温度制御装置。
【請求項１２】
請求項４乃至６のいずれかに記載の車両用温度制御装置であって、
車両の現在位置を逐次検出することができるとともに、その検出した現在位置および予め登録された自宅情報に基づいて、車両の現在位置が自宅であるかどうかを判定することができるナビゲーション装置と、
そのナビゲーション装置によって車両の現在位置が自宅であると判定された場合には、前記外気導入制御手段による外気導入を禁止する外気導入禁止手段と
をさらに含むことを特徴とする車両用温度制御装置。
【請求項１３】
請求項４乃至６のいずれかに記載の車両用温度制御装置であって、
前記外気導入制御手段は、前記ウィンドウを１／２以下に設定された所定割合だけ開くようになっていることを特徴とする車両用温度制御装置。
【発明の詳細な説明】
【技術分野】
【０００１】
本発明は、車室内温度を制御する車両用温度制御装置に関し、特に、車室内温度制御に際して外気を自動的に導入する技術に関する。
【背景技術】
【０００２】
所謂、オートエアコンと呼ばれている車室内空調装置を備えた車両においては、車室内の温度を検出する室内温度センサが設けられており、エアコンの冷房運転が開始されると、室内温度センサによって検出された車室内温度とエアコンの設定温度との温度差に基づいて冷房出力が決定され、その温度差が大きいほど冷房出力を高めることによって、車室内温度を設定温度に迅速に近づけるようになっている（たとえば、特許文献１）。
【０００３】
また、前記特許文献１では、設定温度と室温センサから得られた温度データとの温度差を演算するとともに、室温の変化量を演算し、これら演算した温度差および室温変化量に基づいて、予め設定されたファジイ推論制御則に従ってエアミックスドアの動作速度と動作方向を推論することにより、設定温度に迅速に近づけるようにしている。
【特許文献１】特開平５−２９４１２６号公報
【発明の開示】
【発明が解決しようとする課題】
【０００４】
しかしながら、たとえば、真夏の炎天下に車両が置かれていた場合などは、車室内温度が外気温よりも高くなるので、車室内温度はエアコン設定温度よりも著しく高くなる。このようにエアコン設定温度に対して実際の車室内温度が著しく高くなってしまっている場合には、冷房出力が最大出力とされたとしても、実際に車室内温度が設定温度またはその付近まで下がるのに長い時間がかかるという問題がある。
【０００５】
この問題に対処する方法として、アクセサリスイッチがオフとされていても、車室内温度が高くなったことを検出してエアコンを自動的に始動させて、車室内温度が過度に上昇しないようにすることが考えられる。しかし、アクセサリスイッチがオフの状態ではエンジンは停止しており、エンジン停止時にエアコンを始動させるとバッテリの消耗を招くという問題がある。従って、エアコン始動後に迅速に車室内温度を低下させるか、エアコンを用いないで車室内温度の上昇を抑制することが望まれる。
【０００６】
本発明は、上述した点に鑑みてなされたものであり、その目的とするところは、エアコンによる冷房運転時に迅速に車室内温度を低下させることができる車両用温度制御装置、または、エアコンを用いないで車室内温度の上昇を抑制することができる車両用温度制御装置を提供することにある。
【課題を解決するための手段】
【０００７】
上記目的を達成するための請求項１に記載の発明は、車室内温度を検出する室内温度センサと、車両のウィンドウを昇降駆動するウィンドウ駆動装置と、目的温度が設定可能な車室内空調装置とを備えた車両用温度制御装置であって、前記車室内空調装置の冷房運転時において、前記室内温度センサによって検出された車室内温度と前記車室内空調装置の設定温度との温度差が、その車室内空調装置の設定温度と外気温との間の最大温度差となるように設定された基準温度差よりも大きいことに基づいて、前記ウィンドウ駆動装置を制御して前記ウィンドウを開いて外気を導入する外気導入制御手段を含むことを特徴とする。
【０００８】
この請求項１記載の発明によれば、外気導入制御手段により、室内温度センサによって検出された実際の車室内温度と車室内空調装置の設定温度との温度差が基準温度差と比較される。この基準温度差は、車室内空調装置の設定温度と外気温との間の最大温度差となるように設定されているので、実際の車室内温度と車室内空調装置の設定温度との温度差が基準温度差よりも大きい場合、車室内温度が外気温度よりも高くなっていると考えられ、この場合、ウィンドウが自動的に開けられて、車室内の空気よりも低い温度の外気が導入されるので、車室内の温度を迅速に低下させることができる。
【０００９】
また、請求項２記載の発明は、車室内温度を検出する室内温度センサと、車両のウィンドウを昇降駆動するウィンドウ駆動装置と、車室内空調装置とを備えた車両用温度制御装置において、前記車室内空調装置の冷房運転時において、前記室内温度センサによって検出された車室内温度が所定の外気導入基準温度よりも高いことに基づいて、前記ウィンドウ駆動装置を制御して前記ウィンドウを開いて外気を導入する外気導入制御手段を含むことを特徴とする。
【００１０】
この請求項２記載の発明は、上記請求項１では、車室内温度と車室内空調装置の設定温度との温度差を基準温度差と比較していたものを、車室内温度と所定の外気導入基準温度とを比較することとした発明である。車室内空調装置の冷房時の設定温度は、乗員の嗜好の個人差や季節差などによって多少変動するけれども、その変動は比較的狭い温度範囲内であると考えられる。すなわち、請求項１では、車室内温度と車室内空調装置の設定温度との温度差を用いていたが、そのうちの一方である車室内空調装置の設定温度の変動は比較的少ないと考えられるので、請求項２では、温度差を求めずに車室内温度そのものを所定の外気導入基準温度と比較することとしたのである。従って、外気導入基準温度は、たとえば、車室内空調装置の冷房時の一般的な設定温度に請求項１の基準温度差を加えた温度や、それよりもさらに所定の余裕温度だけ高い温度に設定される。
【００１１】
また、請求項３記載の発明は、車室内温度を検出する室内温度センサと、車両のウィンドウを昇降駆動するウィンドウ駆動装置と、車室内空調装置とを備えた車両用温度制御装置であって、車外温度を検出する外気温センサと、前記車室内空調装置よる冷房運転時に、前記室内温度センサによって検出された車室内温度が前記外気温センサによって検出された車外温度よりも高いことに基づいて、前記ウィンドウ駆動装置を制御して前記ウィンドウを開いて外気を導入する外気導入制御手段とを含むことを特徴とする。
【００１２】
この請求項３の発明は、上記請求項１では、車室内温度と車室内空調装置の設定温度との温度差が予め設定された基準温度差よりも大きいことに基づいて外気温度が車室内温度よりも低いと判断していたものを、実際に外気温度を検出して、直接、外気温度と車室内温度とを比較することとした発明である。従って、請求項１と同様に、外気導入制御手段によってウィンドウが自動的に開けられて、車室内の空気よりも低い温度の外気が導入されるので、車室内の温度を迅速に低下させることができる。
【００１３】
また、請求項４記載の発明は、車室内温度を検出する室内温度センサと、車両のウィンドウを昇降駆動するウィンドウ駆動装置と、車外温度を検出する外気温センサと、アクセサリスイッチがオフであって、前記室内温度センサによって検出された車室内温度または前記外気温センサによって検出された車外温度が、予め設定された冷房必要温度よりも高く、かつ、その検出された車室内温度が検出された車外温度よりも高いことに基づいて、前記ウィンドウ駆動装置を制御して前記ウィンドウを開いて外気を導入する外気導入制御手段とを含むことを特徴とする車両用温度制御装置である。
【００１４】
この請求項４記載の発明は、車両停車時に車室内の温度上昇を抑制する発明であり、この請求項４記載の発明によれば、外気導入制御手段により、アクセサリスイッチがオフであり、エアコンによる冷房を行うとバッテリの消耗が心配される場合であっても、車室内温度または車外温度が冷房必要温度よりも高く、すなわち、冷房が必要なほど温度が高く、かつ、車室内温度が車外温度よりも高い場合には、ウィンドウが自動的に開けられて、車室内の空気よりも低い温度の外気が導入されるので、車室内温度の上昇が抑制される。
【００１５】
また、請求項５記載の発明は、車室内温度を検出する室内温度センサと、車両のウィンドウを昇降駆動するウィンドウ駆動装置と、アクセサリスイッチがオフであって、前記室内温度センサによって検出された車室内温度が上昇傾向であることに基づいて、前記ウィンドウ駆動装置を制御して前記ウィンドウを開いて外気を導入する外気導入制御手段とを含むことを特徴とする車両用温度制御装置である。
【００１６】
この請求項５記載の発明もアクセサリスイッチがオフである状態において車室内の温度上昇を抑制する発明であり、この請求項５記載の発明は、上記請求項４では、外気を導入した場合に車室内の温度上昇を抑制できるかどうかを判断するために、車外温度と車室内温度とを比較していたものを、その車外温度と車室内温度との比較に代えて、車室内温度の上昇傾向を判断することとしたものである。車室内温度が上昇傾向にある場合、炎天下など、車室内温度が車外温度よりも高くなる環境下にあると考えることができるからである。そして、車室内温度が上昇傾向にあることに基づいて、ウィンドウが自動的に開けられて、車室内の空気よりも低い温度の外気が導入されるので、車室内温度の上昇が抑制される。
【００１７】
また、請求項６記載の発明は、車室内温度を検出する室内温度センサと、車両のウィンドウを昇降駆動するウィンドウ駆動装置と、目的温度が設定可能な車室内空調装置と、アクセサリスイッチがオフであって、前記室内温度センサによって検出された車室内温度と前記車室内空調装置の設定温度との温度差が、その車室内空調装置の設定温度と外気温との間の最大温度差として予め設定された基準温度差よりも大きいことに基づいて、前記ウィンドウ駆動装置を制御して前記ウィンドウを開いて外気を導入する外気導入制御手段とを含むことを特徴とする車両用温度制御装置である。
【００１８】
この請求項６記載の発明もアクセサリスイッチがオフである状態において車室内の温度上昇を抑制する発明であり、この請求項６記載の発明は、上記請求項４では、外気を導入した場合に車室内の温度上昇を抑制できるかどうかを判断するために、車外温度と車室内温度とを比較していたものを、実際の車室内温度と車室内空調装置の設定温度との温度差を、その車室内空調装置の設定温度と外気温との間の最大温度差となるように予め設定された基準温度差と比較することとしたものである。すなわち、判断基準としては請求項１と同様であり、外気導入制御手段により、室内温度センサによって検出された実際の車室内温度と車室内空調装置の設定温度との温度差が、車室内空調装置の設定温度と外気温との間の最大温度差となるように設定された基準温度差よりも大きいと判断された場合、車室内温度が外気温度よりも高くなっていると考えられ、この場合、ウィンドウが自動的に開けられて、車室内の空気よりも低い温度の外気が導入されるので、車室内温度の上昇が抑制される。
【００１９】
また、請求項１乃至請求項６に記載の車両用温度制御装置は、請求項７記載のようにして降雨時には外気を導入しないようにすることが好ましい。すなわち、請求項７記載の発明は、請求項１乃至６のいずれかに記載の車両用温度制御装置において、車両の現在位置において雨が降っていることを検出する降雨検出装置と、その降雨検出装置によって雨が降っていると検出されたことに基づいて、前記外気導入制御手段による外気導入を禁止する外気導入禁止手段とをさらに含むことを特徴とする。
【００２０】
また、その降雨検出装置としては、請求項８記載のように、天気情報を受信する無線受信装置を備えるとともに、その受信した天気情報と前記車両の現在位置とを比較することによって車両の現在位置において雨が降っていることを検出することができるナビゲーション装置を用いることができる。
【００２１】
また、請求項９記載のように、外気中の所定の有害ガスのガス濃度を検出する外気センサと、その外気センサによって検出されたガス濃度に基づいて空気の悪い場所であるか否かを判定し、空気の悪い場所であると判定した場合には、前記外気導入制御手段による外気導入を禁止する外気導入禁止手段とをさらに備えることが好ましい。このようにすれば、有害ガスが導入されてしまうことが防止される。
【００２２】
また、請求項１乃至請求項３のように、エアコン運転中の外気導入制御においては、請求項１０記載のように、車両に備えられた複数の座席ついて、搭乗者がいるか否かをそれぞれ検出する搭乗者センサをさらに備え、前記外気導入制御手段が開くウィンドウは、前記搭乗者センサによって搭乗者がいることが検出された座席の近傍のウィンドウとされていることが好ましい。このようにすれば、搭乗者がいる付近の温度を迅速に低下させることができる。
【００２３】
また、請求項１乃至請求項３のように、エアコン運転中の外気導入制御においては、請求項１１のように、前記外気導入制御手段は、前記室内温度センサによって検出された車室内温度と前記車室内空調装置の設定温度との温度差が、前記基準温度差よりも小さい値に設定された制御終了温度差以下となったことに基づいて、前記ウィンドウを閉じるようにすることができる。なお、それに代えて、所定時間経過したことに基づいてウィンドウを閉じるようにしてもよい。
【００２４】
また、請求項４乃至６記載の発明のように、アクセサリスイッチがオフされている状態において外気を導入する発明においては、車両停止位置が自宅である場合には、たとえば、次に車両を運転するのが翌日になるなど、次に車両に乗り込むまでの時間が長く、そのため、外気を導入して車室内温度の上昇を抑制する必要性に乏しい場合が多いと考えられる。従って、請求項４乃至６記載の発明の場合、さらに請求項１２のようにして車両停止位置が自宅である場合には外気を導入しないようにすることが好ましい。すなわち、請求項１２記載の発明は、請求項４乃至６のいずれかに記載の車両用温度制御装置であって、車両の現在位置を逐次検出することができるとともに、その検出した現在位置および予め登録された自宅情報に基づいて、車両の現在位置が自宅であるかどうかを判定することができるナビゲーション装置と、そのナビゲーション装置によって車両の現在位置が自宅であると判定された場合には、前記外気導入制御手段による外気導入を禁止する外気導入禁止手段とをさらに含むことを特徴とする。
【００２５】
また、請求項４乃至６記載の発明は、通常、搭乗者がいないと考えられるので、盗難防止を考慮して、請求項１３のように、前記外気導入制御手段は、前記ウィンドウを１／２以下に設定された所定割合だけ開くようにすることが好ましい。
【発明を実施するための最良の形態】
【００２６】
以下、本発明の実施の形態を、図に基づいて説明する。図１は、本発明が適用された車両用温度制御装置１００の構成を示すブロック図である。この車両用温度制御装置１００は、車内ＬＡＮ１０１を介して、エアコン１０２、ウィンドウ駆動装置１０３、搭乗者センサ１０５、ドアセンサ１０６、およびナビゲーション装置２００が、電子制御装置（Electronic Control Unit、以下、ＥＣＵという）３００に接続されている。
【００２７】
車室内空調装置であるエアコン１０２は、設定温度がデジタル値で設定できるようになっており、室内温度センサ１０７によって逐次検出される車室内温度ＴＲおよび外気センサ１０８によって逐次検出される車外温度ＴＡＭに基づいて吹き出し口から吹き出す冷風の温度、風量を制御して、室内温度センサ１０７によって検出される車室内温度ＴＲが設定温度ＴＳＥＴになるように制御する。また、外気センサ１０８は、排気ガスなどの所定の有害ガスの濃度を検出できる機能も備えており、エアコン１０２は、外気センサ１０８によって所定濃度以上のガスが検出された場合には、内気循環に自動的に切り替えるようになっている。なお、室内温度センサ１０７および外気センサ１０８によって検出された温度、ガス濃度は、車内ＬＡＮ１０１を介してＥＣＵ３００へも供給される。
【００２８】
ウィンドウ駆動装置１０３はモータなどによって構成され、車両に開閉自在に設けられた図示しない複数のウィンドウを別々に開閉駆動する。搭乗者センサ１０５は、車両に備えられた複数の座席について、搭乗者が座っているか否かをそれぞれ検出する。ドアセンサ１０６は、車両のドアが開状態であるか閉状態であるかを検出するとともに、各ドアのロック状態を検出する。
【００２９】
ナビゲーション装置２００は、車両の現在位置を検出するとともに、予め記憶された地図情報、および、目的地情報に基づいて、経路案内を行うものであり、図２に詳しく示す構成を有している。
【００３０】
図２に示すように、ナビゲーション装置２００は、位置検出器２０１、地図データ入力装置２０６、操作スイッチ群２０７、外部メモリ２０９、表示装置２１０、ＶＩＣＳ送受信機２１１、音声コントローラ２１２、音声認識装置２１４、リモコンセンサ２１６、およびそれらと互いに接続された制御装置２０８を備えている。
【００３１】
制御装置２０８は、通常のコンピュータであり、内部には周知のＣＰＵ、ＲＯＭ、ＲＡＭ、Ｉ／Ｏおよびこれらの構成を接続するためのバスラインを備えている。ＲＯＭには、制御装置２０８が実行するためのプログラムが書き込まれており、このプログラムに従ってＣＰＵ等が所定の演算処理を実行する。
【００３２】
位置検出器２０１は、衛星からの電波に基づいて車両の位置を測定するグローバルポジショニングシステム（ＧＰＳ）のためのＧＰＳ受信機２０２、車両の絶対方位を検出するための地磁気センサ２０３、車両の相対方位を検出するためのステアリングセンサ２０４を有している。さらに、位置検出器２１０は、車両の走行速度から走行距離を検出するために車速センサ２０５を備えている。
【００３３】
このように、位置検出器２０１は、電波航法による車両位置測定のためにＧＰＳ受信機２０２を有するとともに、自立航法による車両位置推定のために地磁気センサ２０３、ステアリングセンサ２０４及び車速センサ２０５を有している。なお、電波航法としては、ＧＰＳに限らず、例えば、道路交通情報通信システム（ＶＩＣＳ）の光ビーコンを利用しても良い。また、自立航法における車両の相対方位を検出するために、ステアリングセンサ２０４に代えて、ジャイロセンサや車両の左右輪に設けられた車輪速センサを用いても良い。また、精度が満足される場合には、図２に示す装置の一部が設けられていなくても良い。
【００３４】
地図データ入力装置２０６は、たとえばＤＶＤ−ＲＯＭ、ＣＤ−ＲＯＭなどの図示しない記憶媒体を備え、その記憶媒体には、道路データ、背景データ、文字データおよび施設データなどを含むデジタル地図データが格納されており、それらのデータを制御装置２０８に入力する。
【００３５】
操作スイッチ群２０７は、たとえば表示装置２１０と一体になったタッチスイッチもしくは表示装置２１０の周辺に設けられるメカニカルなスイッチ等からなり、表示装置２１０に表示された地図の縮尺変更、メニュー表示選択、目的地設定、自宅位置設定、経路探索、経路案内開始、現在位置修正、表示画面変更、音量調整等の各種入力に使用される。また、リモコン端末（以下、単にリモコンという）２１７には、図示しない複数の操作スイッチが設けられ、その操作スイッチの操作により操作スイッチ群２０７と同様の入力操作が行える。リモコン２１７に入力された入力操作を表す信号は、リモコンセンサ２１６を介して制御装置２０８へ供給される。
【００３６】
外部メモリ２０９は、たとえば、メモリカードやハードディスク等の書き込み可能な記憶媒体からなる。この外部メモリ２０９には、ユーザによって設定された自宅位置や、テキストデータ、画像データ、音声データ等の各種データが記憶される。また、頻繁に使用するデータを地図データ入力装置２０６からコピーして使用することもできる。
【００３７】
表示装置２１０は、たとえば液晶ディスプレイ、有機ＥＬディスプレイによって構成され、車両の現在位置に対応する自車位置マーク、地図データによって生成された車両周辺の道路地図などが表示され、また、状況に応じて目的地選択画面等も表示される。
【００３８】
音声コントローラ２１２は、制御装置２０８からの指令信号に従って、経路を案内する案内音声、音声認識時の入力音声に関するガイダンスをスピーカ２１３から出力させる。
【００３９】
音声認識装置２１４は、マイク２１５によって電気信号に変換された操作者の入力音声と、内部に備えられた図示しない記憶装置に記憶された認識辞書中の語彙データ（比較対照パターン）とを照合し、最も一致度の高いものを認識結果として音声コントローラ２１２に供給する。音声コントローラ２１２は、音声認識装置２１４を制御するとともに、音声入力のあった操作者に対し、スピーカ２１３を通じてトークバック出力制御（音声出力）する。また、音声認識装置２１４の認識結果を制御装置２０８に入力する処理も行う。
【００４０】
無線受信装置として機能するＶＩＣＳ送受信機２１１は、道路に敷設されたビーコンや各地のＦＭ放送局を介して、ＶＩＣＳセンタから配信される道路交通情報等の情報を受信したり、必要に応じて車両側から外部（ＶＩＣＳセンタなど）へ情報を送信したりする。また、このＶＩＣＳ送受信機２１１によって所定の区域毎の天気情報も受信され、この天気情報には、現在の降雨状況が含まれている。そして、ＶＩＣＳ送受信機２１１が受信した情報は、制御装置２０８に供給されてそこで処理され、たとえば、渋滞情報や制限速度情報等は、表示装置２１０に表示される道路地図上に重ねて表示され、また、天気情報と車両の現在位置から、現在位置において雨が降っているか否かが判断される。従って、ナビゲーション装置２００は降雨検出装置として機能する。
【００４１】
また、制御装置２０８は、ＶＩＣＳ送受信機２１１を介してＶＩＣＳセンタから受信した情報、および位置検出器２０１によって検出された車両の現在位置や地図データベース入力装置２０６からの情報に基づいて、車両の現在位置が危険な場所であるかを判断したり、外部メモリ２０９に格納された自宅位置の情報と位置検出器２０１によって検出された車両の現在位置から、現在位置が自宅であるか否かを判断する処理を行う。
【００４２】
図３、図４は、ＥＣＵ３００の制御機能の要部を説明するフローチャートであり、図３はエアコン１０２がオン状態となっている場合の外気導入に関する制御内容を示すフローチャートであり、図４は、アクセサリスイッチがオフとなっている場合の外気導入に関する制御内容を示すフローチャートである。これら図３、図４に示す制御内容は、時分割処理などにより互いに独立して実行するようになっており、かつ比較的短い所定の周期で繰り返し実行するようになっている。
【００４３】
まず、図３に示すフローチャートを説明する。まず、ステップＳ３１０において、アクセサリスイッチがオン状態であるか否かを判断する。この判断が否定された場合には、ステップＳ３１０を繰り返し実行するが、肯定された場合には、続くステップＳ３１５において、エアコン１０２のスイッチがオンであるか否か、すなわち、エアコンが運転されているか否かを判断する。この判断が否定された場合には、ステップＳ３１５を繰り返し実行する。一方、ステップＳ３１５の判断が肯定された場合には、続くステップＳ３２０において、室内温度センサ１０７によって検出された室内温度ＴＲとエアコン１０２の設定温度ＴＳＥＴとの温度差ΔＴ１（＝ＴＲ−ＴＳＥＴ）が、基準温度差ΔＴＤとして設定された１５℃以上であるか否かを判断する。上記基準温度差ΔＴＤ（本実施例では１５℃）は、エアコン１０２の設定温度ＴＳＥＴと外気温ＴＡＭとの間の通常の最大温度差となるように予め設定されたものであり、従って、上記温度差ΔＴ１が基準温度差ΔＴＤを超える場合には、室内温度ＴＲが車外温度ＴＡＭよりも高いと考えられる。たとえば、設定温度ＴＳＥＴが２７℃であるとすると、室内温度センサ１０７によって検出された室内温度ＴＲが４２℃以上である場合にステップＳ３２０の判断が肯定されることになり、室内温度ＴＲが４２℃以上である場合には、通常、室内温度ＴＲは車外温度ＴＡＭよりも高くなっていると考えられる。なお、このステップＳ３２０が肯定される状態の場合、エアコン１０２は、当然、冷房運転となっていると考えられる。すなわち、ステップＳ３２０によりエアコン１０２が冷房運転状態であるか否かが判断できるので、別にエアコン１０２の運転状態が冷房運転であるか否かを判断するステップを設ける必要はない。
【００４４】
このステップＳ３２０の判断が否定された場合、すなわち、室内温度ＴＲとエアコン１０２の設定温度ＴＳＥＴとの温度差ΔＴ１が１５℃未満の場合には、ウィンドウを開けて外気を導入する必要がないと判断して本ルーチンを終了する。一方、ステップＳ３２０の判断が肯定された場合には、続くステップＳ３２５において、ドアセンサ１０６から供給される信号に基づいて、車両のいずれか少なくとも一つのドアが開いているか否かを判断する。少なくとも一つのドアが開いていると判断した場合、このステップＳ３２５の判断を繰り返し実行することにより、ドアが全て閉まるまで待つ。
【００４５】
ステップＳ３２５においてドアが全て閉まっていると判断した場合には、続くステップＳ３３０において、いずれかのウィンドウが開いているか否かをさらに判断する。いずれかのウィンドウが開いていると判断した場合には、もはやウィンドウを自動的に開ける必要はないので、このルーチンを終了する。
【００４６】
一方、ステップＳ３３０の判断が否定された場合、すなわち、全てのウィンドウが全閉状態であると判断した場合には、続くステップＳ３３５において、外気センサ１０８によって検出されたガス濃度に基づいて空気の悪い場所であるか否かを判断するとともに、ナビゲーション装置２００において現在位置が危険な場所であると判断されたか否かを判断する。このナビゲーション装置２００における判断は、たとえば、ＶＩＣＳ送受信機２１１を介してＶＩＣＳセンタから供給された情報、および位置検出器２０１によって検出された現在位置とに基づいて判断する。危険な場所であるか、空気の悪い場所であると判断した場合には、ステップＳ３７０を実行する。ステップＳ３７０では、ウィンドウ駆動装置１０３を制御することによって全てのウィンドウを全閉状態とする。すなわち、いずれかのウィンドウが開いている場合にはそのウィンドウを閉じ、全てのウィンドウがすでに全閉状態となっている場合には、その状態を維持する。
【００４７】
ステップＳ３３５の判断が否定された場合、すなわち、危険な場所でもなく、空気の悪い場所でもないと判断した場合には、ステップＳ３４０において、ナビゲーション装置２００によって現在位置で雨が降っていることが検出されたか否かを判断する。このステップＳ３４０の判断が肯定された場合にも前述のステップＳ３７０を実行して全てのウィンドウを全閉状態とする。
【００４８】
一方、現在位置において雨が降っていないと判断した場合には、続くステップＳ３４５において、いずれかのウィンドウが手動操作されたか否かを判断する。前述のステップＳ３３０においてウィンドウが閉まっていると判断されないとこのステップＳ３４５は実行されないので、このフローチャートにおける初回のステップＳ３４５の判断は肯定されるが、ステップＳ３３５乃至ステップＳ３５５は繰り返しループになっており、その繰り返しのうちにウィンドウが手動操作されてステップＳ３４５の判断が肯定されることもある。そして、ステップＳ３４５の判断が肯定された場合には、もはや自動でウィンドウを開ける制御が必要ないと判断して本ルーチンを終了する。
【００４９】
このステップＳ３４５の判断も否定された場合には、続くステップＳ３５０において、所定のウィンドウを予め定められた割合だけ開いた状態にする。すなわち、初回のステップＳ３５５の実行に際しては、ウィンドウ駆動装置１０３を制御して、所定のウィンドウを予め定められた割合だけ開いた状態にし、それ以降のステップＳ３５０の実行である場合には、ウィンドウの開閉状態をそのままの状態に維持する。なお、上記所定のウィンドウは、たとえば、可及的に効率よく外気を導入するために全てのウィンドウとされるか、あるいは、搭乗者センサ１０５によって搭乗者がいることが検出された座席の近傍（横）のウィンドウとされる。後者の場合、搭乗者付近の車室内温度ＴＲを迅速に低下させることができる。また、上記予め定められた割合は、たとえば、車両走行中である場合を考慮して、１／５に設定される。
【００５０】
続くステップＳ３５５では、上記ステップＳ３５０を最初に実行してからの経過時間が所定の制御終了時間（図３では１５分）を経過したか、または、室内温度ＴＲとエアコン１０２の設定温度ＴＳＥＴとの温度差ΔＴ１が所定の制御終了温度差（図３では７℃）以下となったか否かを判断する。
【００５１】
このステップＳ３５５の判断が否定された場合にはステップＳ３３５以下を繰り返し実行するが、肯定された場合には、続くステップＳ３６０において、ウィンドウ駆動装置１０３を制御して、全てのウィンドウを全閉状態として、本ルーチンを終了する。なお、図３においては、ステップＳ３２０乃至ステップＳ３３０、ステップＳ３４５乃至ステップＳ３６０によって外気導入制御手段が構成され、ステップＳ３３５、Ｓ３４０、Ｓ３７０によって外気導入禁止手段が構成される。
【００５２】
次に、図４を説明する。まず、ステップＳ４１０において、アクセサリスイッチがオフされている状態であるか否かを判断する。この判断が肯定された場合には、続くステップＳ４１５において、搭乗者センサ１０５からの信号に基づいて、全ての座席に搭乗者がいないか否かを判断する。この判断も肯定された場合には、続くステップＳ４２０において、ドアセンサ１０６からの信号に基づいて、全てのドアが閉まっているか否かをさらに判断する。これらステップＳ４１０、Ｓ４１５、Ｓ４２０のいずれかの判断が否定された場合には、本ルーチンを一旦終了する。
【００５３】
一方、ステップＳ４２０の判断が肯定された場合には、続くステップＳ４２５において、ナビゲーション装置２００によって車両の現在位置が自宅であると判断されているか否かを、さらに判断する。なお、ナビゲーション装置２００における上記判断は、前述のように、予めユーザによって登録された自宅位置と、位置検出器２０１によって検出された車両の現在位置とに基づいて行われる。
【００５４】
上記ステップＳ４２５において、車両の現在位置が自宅であると判断された場合には、次に車両に乗り込むまでの時間が長いことが多く、外気を導入して車室内の温度上昇を抑制する必要性に乏しいと考えられることから、ウィンドウを開ける制御を行うことなく、本ルーチンを終了する。
【００５５】
一方、現在位置が自宅でなく、ステップＳ４２５の判断が否定された場合には、続くステップＳ４３０において、図３のステップＳ３３５と同様にして、現在位置が危険な場所であるか、または空気の悪い場所であるか否かを判断する。このステップＳ４３０の判断が肯定された場合には、ウィンドウを開けるのは好ましくないため、本ルーチンを終了する。
【００５６】
一方、ステップＳ４３０の判断が否定された場合には、続くステップＳ４３５において、図３のステップＳ３４０と同様にして、現在位置において雨が降っているか否かを判断する。そして、この判断も否定された場合には、続くステップＳ４４０において、後述するステップＳ４５０でウィンドウを開いた状態としてからの経過時間が、予め設定された制御終了時間（図４では２時間）を経過したか否かをさらに判断する。
【００５７】
このステップＳ４４０の判断も否定された場合、すなわち、後述するステップＳ４５０を一度も実行していないか、その実行から２時間が経過していない場合には、続くステップＳ４４５において、外気センサ１０８によって検出される車外温度ＴＡＭが予め設定された冷房必要温度（図４では３０℃）以上であり、かつ、その車外温度ＴＡＭよりも室内温度センサ１０７によって検出された車室内温度ＴＲの方が高いか否かをさらに判断する。なお、上記冷房必要温度とは、エアコン１０２による冷房が必要なほどに高い温度であり、図４では３０℃であるが、エアコン１０２の設定温度ＴＳＥＴまたはそれよりも高い温度に設定されていればよい。ステップＳ４４５の判断において車外温度ＴＡＭが冷房必要温度以上であるという条件を含ませることにより、冬場、車内が暖房されているために、車室内温度ＴＲが車外温度ＴＡＭよりも高くなっている状況において、ステップＳ４４５の判断が肯定されて冷たい外気が導入されてしまうことが防止される。
【００５８】
上記ステップＳ４４５の判断が肯定された場合には、続くステップＳ４５０において、所定のウィンドウを予め定められた割合だけ開いた状態にする。すなわち、初回のステップＳ４５０の実行に際しては、ウィンドウ駆動装置１０３を制御して、所定のウィンドウを予め定められた割合だけ開いた状態にし、それ以降のステップＳ４５０の実行である場合には、ウィンドウの開閉状態をそのままの状態に維持する。なお、上記所定のウィンドウは、たとえば、可及的に効率よく外気を導入するために全てのウィンドウとされ、また、上記予め定められた割合は、盗難防止のために、たとえば、１／５に設定される。
【００５９】
続くステップＳ４５５では、アクセサリスイッチがオンされたか否かを判断する。この判断が肯定された場合には、続くステップＳ４６０において、ウィンドウ駆動装置１０３を制御して、全てのウィンドウを全閉状態として、本ルーチンを終了する。また、ステップＳ４３５またはステップＳ４４０の判断が肯定された場合にも、ステップＳ４６０を実行して全てのウィンドウを全閉状態として、本ルーチンを終了する。この図４においては、ステップＳ４１０乃至Ｓ４２０、Ｓ４４０乃至Ｓ４６０によって外気導入制御手段が構成され、ステップＳ４２５、４３０、４３５、４６０によって外気導入禁止手段が構成される。
【００６０】
以上、説明した本実施形態によれば、エアコン１０２の冷房運転時には、室内温度ＴＲとエアコン１０２の設定温度ＴＳＥＴとの温度差ΔＴ１が基準温度差ΔＴＤ（１５℃）よりも高いことに基づいて、ウィンドウが自動的に開けられて、車室内の空気よりも低い温度の外気が導入されるので、車室内の温度を迅速に低下させることができる。また、アクセサリスイッチがオフされている状態であって、車室内温度ＴＲが冷房必要温度よりも高く、かつ、車室内温度ＴＲが車外温度ＴＡＭよりも高い場合にも、ウィンドウが自動的に開けられて、車室内の空気よりも低い温度の外気が導入されるので、車室内温度の上昇が抑制される。
【００６１】
以上、本発明の実施形態を説明したが、本発明はその他の態様で実施することもできる。たとえば、前述の図３のステップＳ３２０に代えて、図５のステップＳ３２０−１を実行するようにしてもよい。ステップＳ３２０−１では、室内温度センサ１０７によって検出された室内温度ＴＲが所定の外気導入基準温度ＴＳＴよりも大きいか否かを判断している。この外気導入基準温度ＴＳＴを、たとえば、エアコン１０２の冷房時の設定温度ＴＳＥＴに前述の基準温度差ΔＴＤ（たとえば１５℃）を加えた温度とすれば、このステップＳ３２０−１は実質的に図３のステップＳ３２０と同じとなる。なお、このように外気導入基準温度ＴＳＴをエアコン１０２の設定温度ＴＳＥＴに基づいて設定してもよいが、一定値としてもよい。
【００６２】
また、前述の図３のステップＳ３２０に代えて、図６のステップＳ３２０−２、Ｓ３２０−３を実行するようにしてもよい。ステップＳ３２０−２では、室内温度センサ１０７によって検出された室内温度ＴＲが外気センサ１０８によって検出された車外温度ＴＡＭよりも高いか否かを判断する。この判断が否定された場合には、一旦、本ルーチンを終了する。このステップＳ３２０−２の判断は、エアコン１０２が暖房運転されている場合も肯定されるので、ステップＳ３２０−２の判断が肯定された場合には、続くステップＳ３２０−３において、エアコン１０２が冷房運転状態であるか否かをさらに判断する。このステップＳ３２０−３の判断が否定された場合にも、本ルーチンを一旦終了するが、肯定された場合には、図３のステップＳ３２５以下を実行する。従って、車室内温度ＴＲが車外温度ＴＡＭよりも高い場合には、自動的にウィンドウが開けられて、車室内の空気よりも低い温度の外気が導入されるので、車室内の温度を迅速に低下させることができる。なお、ステップＳ３２０−２では、室内温度ＴＲがわずかでも車外温度ＴＡＭよりも高い場合にはその判断が肯定されるようになっているが、室内温度ＴＲが車外温度ＴＡＭよりも所定値以上高い場合にステップＳ３２０−２の判断が肯定されるようにしてもよい。
【００６３】
また、前述の図４のステップＳ４４５に代えて、図７のステップＳ４４５−１を実行するようにしてもよい。図７のステップＳ４４５−１では、車室内温度ＴＲが上昇傾向にあるか否かを判断している。すなわち、ステップＳ４４５−１では、室内温度センサ１０７によって逐次検出される車室内温度ＴＲの所定時間の変化率δＴＲが１より大きいか否かを判断している。このステップＳ４４５−１の判断が否定された場合には、ステップＳ４４０の判断に戻る。一方、肯定された場合には、炎天下など、車室内温度ＴＲが車外温度ＴＡＭよりも高くなる環境下にあると考えることができるから、ステップＳ４５０を実行してウィンドウを開けて外気を導入する。このようにしても、車室内の空気よりも低い温度の外気が導入されるので、車室内温度の上昇が抑制される。
【００６４】
なお、アクセサリスイッチがオフされて冷房が停止された直後の、車室内に冷房の影響が残っている一時的な状態においても車室内温度ＴＲが上昇傾向になるが、この場合でも、車室内温度ＴＲは比較的短時間のうちに車外温度ＴＡＭと少なくとも同等となることが予想される。従って、車室内に冷房の影響が残っている一時的な状態においてステップＳ４４５−１の判断が肯定されて外気が導入されることによる問題は少ないが、上記ステップＳ４４５−１の判断はアクセサリスイッチがオフされてから所定時間経過するまでは実行しないようにすると、車室内に冷房の影響が残っているときにウィンドウが開けられて車室内の空気よりも高い温度の外気が導入されることが防止されるので、より好ましい。また、上記ステップＳ４４５−１では、変化率δＴＲから車室内温度ＴＲが上昇傾向にあるか否かを判断していたが、変化率δＴＲに代えて変化量を用いてもよい。また、上昇傾向がある程度大きい場合にのみステップＳ４４５−１が肯定されるようにしてもよい。すなわち、図７のステップＳ４４５−１において右辺を１よりも大きい数値としてもよい。
【００６５】
また、前述の図４のステップＳ４４５に代えて、図８のステップＳ４４５−２を実行するようにしてもよい。図８のステップＳ４４５−２では、室内温度センサ１０７によって検出された車室内温度ＴＲとエアコン１０２の設定温度ＴＳＥＴとの温度差ΔＴ１（＝ＴＲ−ＴＳＥＴ）が、基準温度差ΔＴＤとして設定された１５℃以上であるか否かを判断している。すなわち、このステップＳ４４５−２は、図３のステップＳ３２０と同じ判断であり、前述のように、この判断が肯定される場合には、室内温度ＴＲは車外温度ＴＡＭよりも高くなっていると考えられるのである。
【００６６】
また、前述の実施形態では、ナビゲーション装置２００からの情報に基づいて雨が降っていることを検出していたが、ワイパーの作動状況や、降雨センサによって雨が降っていることを検出してもよい。
【００６７】
また、前述の図４のステップＳ４４５では、冬場、車内が暖房されているために、車室内温度ＴＲが車外温度ＴＡＭよりも高くなっている状況において、ステップＳ４４５の判断が肯定されて冷たい外気が導入されてしまうことを防止するために、車外温度ＴＡＭを予め設定された冷房必要温度と比較していたが、車外温度ＴＡＭに代えて室内温度ＴＲを用いることもできる。
【図面の簡単な説明】
【００６８】
【図１】本発明が適用された車両用温度制御装置の構成を示すブロック図である。
【図２】図１のナビゲーション装置の構成を詳しく示す図である。
【図３】図１のＥＣＵの制御機能の要部を説明するフローチャートであって、エアコンがオン状態となっている場合の外気導入に関する制御内容を示す。
【図４】図１のＥＣＵの制御機能の要部を説明するフローチャートであって、アクセサリスイッチがオフとなっている場合の外気導入に関する制御内容を示す。
【図５】図３に代えて実行されるＥＣＵの制御機能を示すフローチャートである。
【図６】図３に代えて実行されるＥＣＵの制御機能を示すフローチャートである。
【図７】図４に代えて実行されるＥＣＵの制御機を示すフローチャートである。
【図８】図４に代えて実行されるＥＣＵの制御機能を示すフローチャートである。
【符号の説明】
【００６９】
１００：車両用温度制御装置、    １０２：エアコン（車室内空調装置）、    １０３：ウィンドウ駆動装置、    １０７：室内温度センサ、    ２００：ナビゲーション装置、    ３００：ＥＣＵ
【図１】
2006298169.tif 000003
【図２】
2006298169.tif 000004
【図３】
2006298169.tif 000005
【図４】
2006298169.tif 000006
【図５】
2006298169.tif 000007
【図６】
2006298169.tif 000008
【図７】
2006298169.tif 000009
【図８】
2006298169.tif 000010